(57)【要約】【課題】剛性を従来のものより更に高め、要求される支持スパンを常に満たせるようにした床スラブ用構造体を提供すること。【解決手段】デッキプレートと、該デッキプレートの一方の面側にデッキプレートの波と略直交するように設けられた１又は２以上の上弦材と、該デッキプレートの他方の面側にデッキプレートの波と略直交するように設けられた１又は２以上の下弦材と、該上弦材を該デッキプレートに連結する２以上のラチス材とを備えている。ラチス材の斜部は棒状の鋼材又は鋼板で連結するようにしてもよい。【選択図】      図１
2004169283.tif 000002
【特許請求の範囲】
【請求項１】
デッキプレートと、該デッキプレートの一方の面側に該デッキプレートの波と略直交するように設けられた１又は２以上の補強部材とを備えていることを特徴とする床スラブ構造体。
【請求項２】
デッキプレートと、該デッキプレートの一方の面側に該デッキプレートの波と略直交するように設けられた１又は２以上の上弦材と、該デッキプレートの他方の面側に該デッキプレートの波と略直交するように設けられた１又は２以上の下弦材と、該上弦材を該デッキプレートに連結する２以上のラチス材とを備えていることを特徴とする床スラブ構造体。
【請求項３】
前記デッキプレートは折曲形成された鋼板からなり、複数の峰条部、峰条部の両側に該峰条部と平行に形成された複数の谷部、峰条部と谷部を繋ぐ斜面部とが幅方向に繰り返し有し、前記上弦材は溝形鋼からなり、前記下弦材は溝形鋼からなり、前記ラチス材は折曲形成された細長板状の鋼板からなり、頂部と、頂部の両側で該頂部の一方の面側に形成された一対の裾部と、該頂部と該裾部を繋ぐ一対の斜部とを有し、該上弦材は該ラチス材の頂部に連結され、該ラチス材の裾部は該デッキプレートの谷部及び該下弦材に連結されていることを特徴とする請求項２に記載の床スラブ構造体。
【請求項４】
一のラチス材の斜部の頂部近傍と隣り合う他のラチス材の斜部の裾部近傍とが棒状の鋼材で連結されていることを特徴とする請求項２又は３に記載の床スラブ構造体。
【請求項５】
一のラチス材の斜部と隣り合う他のラチス材の斜部とが鋼板で連結されていることを特徴とする請求項２又は３に記載の床スラブ構造体。
【発明の詳細な説明】
【０００１】
【発明の属する技術分野】
この発明は、例えば建物、橋梁、リグ等の床スラブの骨格となる床スラブ用構造体に関するものである。
【０００２】
【従来の技術】
建物、橋梁、リグ等の床スラブは、一般に、デッキプレートの上に鉄筋を配筋し、ここに生コンクリートを所定の厚さ打設し、これを硬化させることにより形成されている。
【０００３】
このようにして形成される床スラブは、生コンクリートが硬化するまでの間、デッキプレートだけで全体の荷重、特に生コンクリートの荷重を支えているのでこの間は撓み易いが、生コンクリートが固まってしまえば鉄筋とデッキプレートとコンクリートが一体になり、全体が構造材となるので、撓み難くなる。
【０００４】
このため、建設現場では、図７及び図８に示すように、生コンクリートが硬化するまでデッキプレート１２を下から多数の支保工４０で支え、生コンクリートが硬化した後はこの支保工４０を取り除き、生コンクリートが硬化した後で必要とされる間隔の梁３６で床スラブを支えるようにしている。
【０００５】
ただ、デッキプレート１２を下から多数の支保工４０で支えるようにするといっても、多数本の支保工４０を設置するには人手と時間がかかるので作業コストが高くなり、また、海上に構築するリグの床や、橋梁の床のように床の下面側から支保工を設置することが出来ない場合も多い。
【０００６】
本発明者は、このような必要性から、図９及び図１０に示すように、デッキプレート１２の谷部２２及び斜面部２４により形成される溝に鉄筋トラス４２を入れて接触部をデッキプレート１２の溝に溶着させることによって全体の剛性を高めた床スラブ用構造体１０を提案している。
【０００７】
【発明が解決しようとする課題】
しかし、デッキプレート１２の溝に鉄筋トラス４２を装着した床スラブ用構造体１０は、鉄筋トラス４２とデッキプレート１２との接合部に剥離力が作用するので、接合耐力により装着できるトラスの大きさが決まり、場合によっては梁間隔から求められている剛性が得られず、要求される支持スパンを満たせない場合がある。
【０００８】
この発明は、剛性を従来のものより更に高め、要求される支持スパンを常に満たせるようにした床スラブ用構造体を提供することを目的とする。
【０００９】
【課題を解決するための手段】
この発明に係る床スラブ用構造体は、デッキプレートと、該デッキプレートの一方の面側に該デッキプレートの波と略直交するように設けられた１又は２以上の補強部材とを備えている。
【００１０】
補強部材としては、該デッキプレートの一方の面側にデッキプレートの波と略直交するように設けられた１又は２以上の上弦材と、該上弦材を該デッキプレートに連結する２以上のラチス材とからなるものを使用し、該デッキプレートの他方の面側にはデッキプレートの波と略直交するように１又は２以上の下弦材を設ける。
【００１１】
該デッキプレートは折曲形成された鋼板からなり、複数の峰条部、峰条部の両側に該峰条部と平行に形成された複数の谷部、峰条部と谷部を繋ぐ斜面部とを幅方向に繰り返し有している。
【００１２】
該上弦材は溝形鋼からなり、該下弦材は溝形鋼からなる。
【００１３】
該ラチス材は折曲形成された細長板状の鋼板からなり、頂部と、頂部の両側で該頂部の一方の面側に形成された一対の裾部と、該頂部と該裾部を繋ぐ一対の斜部とを有している。
【００１４】
該上弦材は該ラチス材の頂部に連結され、該ラチス材の裾部は該デッキプレートの谷部及び該下弦材に連結されている。
【００１５】
一のラチス材の斜部の頂部近傍と隣り合う他のラチス材の斜部の裾部近傍とは棒状の鋼材で連結されていてもよい。
【００１６】
また、一のラチス材の斜部と隣り合う他のラチス材の斜部とは鋼板で連結されていてもよい。
【００１７】
なお、補強部材としては、上述したもの以外に、鋼板を用いてもよいし、溝形鋼、Ｔ形鋼、Ｈ形鋼等の形鋼や鋼管を用いてもよいし、ハニカム鋼材やエキスパンドメタルを用いてもよい。
【００１８】
【発明の実施の形態】
図１はこの発明に係る床スラブ用構造体の説明図、図２はこの発明に係る床スラブ用構造体を用いて形成した床スラブの断面図、図３は図２のＡ−Ａ断面図である。
【００１９】
これらの図に示すように、床スラブ用構造体１０は、デッキプレート１２と、デッキプレート１２の一方の面側（図１〜図３では上側）にデッキプレート１２の波と略直交するように設けられた１又は２以上の上弦材１４と、デッキプレート１２の他方の面側（図１〜図３では下側）にデッキプレート１２の波と略直交するように設けられた１又は２以上の下弦材１６と、上弦材１４をデッキプレート１２に連結する２以上のラチス材１８とからなる。
【００２０】
デッキプレート１２は波形に折曲形成された鋼板からなり、複数の峰条部２０と、峰条部２０の両側に峰条部２０と平行に形成された複数の谷部２２と、峰条部２０と谷部２２を繋ぐ斜面部２４とが幅方向に繰り返し形成されている。
【００２１】
上弦材１４は溝形鋼からなり、デッキプレート１２の波と略直交するように配置され、下弦材１６は溝形鋼からなり、デッキプレート１２の波と略直交するように配置されている。上弦材１４は側部が平行になっている溝形鋼のみならず、側部がハ字状に開いている溝形鋼を用いてもよいし、棒状の鋼材を用いてもよい。
【００２２】
ラチス材１８は折曲形成された細長板状の鋼板からなり、頂部２６と、頂部２６の両側で鋼板の一方の面側（図１では下側）に頂部２６と平行に形成された一対の裾部２８と、頂部２６と裾部２８を繋ぐ一対の斜部３０とからなる。
【００２３】
上弦材１４はラチス材１８の頂部２６の内側にボルト・ナット（図示せず）で連結され、ラチス材１８の裾部２８はデッキプレート１２の谷部２２及び下弦材１６にボルト・ナット（図示せず）で連結されている。
【００２４】
なお、図４に示すように、一のラチス材１８の斜部３０の頂部２６近傍と隣り合う他のラチス材１８の斜部３０の裾部２８近傍とを棒状の鋼材３２で連結して剛性を更に高めてもよいし、図５に示すように、一のラチス材１８の斜部３０と隣り合う他のラチス材１８の斜部３０とを鋼板３４で連結して剛性を更に高めてもよい。
【００２５】
次に、この床スラブ構造体は次のようにして設置する。すなわち、建設現場まで運搬されてきた床スラブ構造体１０をクレーンで持ち上げ、梁３６の上の所定の位置に載置し、床スラブ構造体１０を梁３６にボルト・ナット（図示せず）で固定する。床スラブ構造体１０はトラス構造を形成していてそれ自体の剛性が高くなっているので、クレーンで持ち上げてた場合、大きく撓むことなく持ち上げられる。
【００２６】
次に、床スラブ構造体１０の上から生コンクリートを打設し、数日間放置する。打設された生コンクリートは硬化し、コンクリート内部に埋め込まれた状態の床スラブ構造体１０は床スラブの内部で強度部材として働くことになる。
【００２７】
なお、上記説明では補強部材として上弦材１４及び下弦材１６を使用したが、鋼板、溝形鋼、Ｔ形鋼、Ｈ形鋼等の形鋼や鋼管を補強部材３８として用い、補強部材３８を、例えば、図６に示すように、デッキプレート１２の一方の面側にデッキプレート１２の波と略直交するように設けてもよい。また、補強部材としてハニカム鋼材やエキスパンドメタルを用いてもよい。
【００２８】
【発明の効果】
この発明は、デッキプレートの一方の面側に該デッキプレートの波と略直交するように補強部材を設けたので、床スラブ構造体の剛性が大きくなり、支保工の設置等、床スラブの裏側の作業が不要となり、床スラブはすべて上面側から施工することができ、床スラブの施工が容易になり、施工コストを低下させることができるという効果がある。
【００２９】
また、この発明は、デッキプレートの一方の側に設けられた１又は２以上の上弦材と、該デッキプレートの他方の側に設けられた１又は２以上の下弦材と、該上弦材を該デッキプレートに連結する２以上のラチス材とで補強部材を形成させた場合、これらの部材によってトラスが形成されるので、撓みに対す変形を防止して、より強固な構造となり、コンクリートの剥離を防止でき、剛性が増強して品質が安定した床スラブ構造が得られる。デッキプレート、上、下弦材に使用する形鋼の組合せ、トラスの高さは間隔を変えることにより発明の床スラブ構造体が要求される剛性、強度に応じた構造体を同じ製作システムで実現できる。トラス間隔を変えることで構造体に作用する荷重をデッキプレート方向および幅方向に、支持梁の剛性、強度に見合うように分配できる。トラスの装着はコンクリート打設前に行うこともできるので、施工環境に応じた構築方法が採れる。一方、支保工の設置等、床スラブの裏側の作業が不要となり、床スラブはすべて上面側から施工することができ、床スラブの施工が容易になり、施工コストを低下させることができるという効果がある。
【００３０】
また、この発明は、ラチス材の斜部を鉄筋又は鋼板で互いに結合した場合、形成された床スラブ用構造体の剛性が更に大きくなり、梁間隔を更に広げることができるという効果がある。
【００３１】
また、この発明は、デッキプレートと、該デッキプレートの一方の側に設けられた１又は２以上の上弦材と、該デッキプレートの他方の側に設けられた１又は２以上の下弦材と、該上弦材を該デッキプレートに連結する２以上のラチス材とでトラスが形成され、トラスを形成する各構造材の間に互いに押し合う力が働くので、接合部は部材が互いにズレるのを防ぐ程度のもので済み、トラスの大きさは任意に設計でき、要求される支持スパンを満たす剛性を有するものを常に形成することができるという効果がある。
【図面の簡単な説明】
【図１】図１はこの発明に係る床スラブ用構造体の説明図である。
【図２】図２はこの発明に係る床スラブ用構造体を用いて形成した床スラブの断面図である。
【図３】図３は図２のＡ−Ａ矢視断面図である。
【図４】この発明に係る床スラブ用構造体の変形例を示す説明図である。
【図５】この発明に係る床スラブ用構造体の他の変形例を示す説明図である。
【図６】この発明に係る床スラブ用構造体の更に他の変形例を示す説明図である。
【図７】デッキプレートを支保工で支えている従来工法の説明図である。
【図８】デッキプレートを支保工で支えている従来工法の側面側からの説明図である。
【図９】鉄筋トラスを入れた床スラブ用構造体の説明図である。
【図１０】図９のＢ−Ｂ矢視断面図である。
【符号の説明】
１０  床スラブ構造体
１２  デッキプレート
１４  上弦材
１６  下弦材
１８  ラチス材
２０  峰条部
２２  谷部
２４  斜面部
２６  頂部
２８  裾部
３０  斜部
３２  棒状の鋼材
３４  鋼板
３６  梁
３８  補強部材
【図１】
2004169283.tif 000003
【図２】
2004169283.tif 000004
【図３】
2004169283.tif 000005
【図４】
2004169283.tif 000006
【図５】
2004169283.tif 000007
【図６】
2004169283.tif 000008
【図７】
2004169283.tif 000009
【図８】
2004169283.tif 000010
【図９】
2004169283.tif 000011
【図１０】
2004169283.tif 000012